(57)【要約】【課題】手間暇をほとんど要さず、簡単に作製できるとともに、あらゆる段差に対応できる階段キットを提供する。【解決手段】段差を分割するための段板５と、段板５の側方に立設され、段板５を支持するための支持板４と、段板５の高さ方向の位置を調節するための高さ調節機構とを備え、高さ調節機構は、支持板４に設けられた高さ方向に延びる係合溝４ｂ，４ｃに対して相対移動可能に係合するとともに、段板５を略水平に支持する支持部材６と、支持板４における支持部材６の下方位置に固着されたブラケット８と、支持部材６に締結されているとともに、ブラケット８に螺合構造を介して支持されており、その螺合部位を変化させることによりブラケット８に対して高さ方向に移動して、支持部材６を係合溝４ｂ，４ｃに対して相対移動させる長尺ボルト１０とを備えた。【選択図】　　　図３
2004100245.tif 000002
【特許請求の範囲】
【請求項１】
段差を分割するための段板と、
前記段板の側方に立設され、前記段板を支持するための側板と、
前記段板の高さ方向の位置を調節するための高さ調節機構とを備え、
前記高さ調節機構は、前記側板に設けられた前記高さ方向に延びる係合溝に対して相対移動可能に係合するとともに、前記段板を略水平に支持する段板支持部材と、
前記側板に固定された固定部材と、
前記段板支持部材に締結されているとともに、前記固定部材に螺合構造を介して支持されており、前記螺合部位を変化させることにより前記固定部材に対して前記高さ方向に移動して、前記段板支持部材を前記係合溝に対して相対移動させる高さ調節部材とを備えることを特徴とする階段キット。
【請求項２】
前記側板は、複数の段板を前後にずらした状態で水平に支持するものであることを特徴とする請求項１に記載の階段キット。
【請求項３】
前記係合溝に沿って目盛りが付されていることを特徴とする請求項１または２に記載の階段キット。
【請求項４】
前記側板に沿って手摺り部材が設けられていることを特徴とする請求項１ないし３のいずれかに記載の階段キット。
【請求項５】
前記手摺り部材は、前記側板に対し上方に突出して取り付けられた支持部材に支持されており、前記支持部材は、前記高さ方向に前記側板への取付位置が選択可能に複数設けられ、前記取付位置を変更することにより上方への突出量が変更可能に構成されていることを特徴とする請求項４に記載の階段キット。
【請求項６】
前記手摺り部材は、前記支持部材による支持位置を中心として揺動自在に前記支持部材に取り付けられているとともに、前記支持位置が手摺り部材の軸方向に変更可能に構成されていることを特徴とする請求項５に記載の階段キット。
【発明の詳細な説明】
【０００１】
【発明の属する技術分野】
本発明は、特に高齢者や身障者が、建築物等に存在する段差部分を昇降する際の歩行を補助する階段キットに関する。
【０００２】
【従来の技術】
例えば和風の家屋の玄関においては、通常、座敷と土間との段差が比較的大きい。高齢者や身体障害者にとってこのような大きな段差を昇降するのは、足腰に大きな負担がかかるなど比較的多大な労力を要するとともに、躓いたり、時には転倒するなどの危険性がある。したがって、このような労力や危険性をできるだけ低減することが強く求められている。
【０００３】
そこで、比較的大きな段差を所定数に分割して、高齢者等が楽に大きな段差部分を昇降できるようその昇降を補助する階段を例えば木材で作製することが考えられる。
【０００４】
【発明が解決しようとする課題】
しかし、上記のような階段を木材等で作製する場合、階段の各段差を均等にしたり、あるいは階段を地面に平行にしたりするなどの作業に多大な手間暇を要する。
【０００５】
また、段差の程度は家屋によってそれぞれ異なることから、各家屋の段差に応じて階段の段差を調節できるものが要求されていた。
【０００６】
本発明は、上記に鑑みてなされたもので、手間暇をほとんど要することなく簡単に作製できるとともに、あらゆる段差に対応できる階段キットを提供することを目的とする。
【０００７】
【課題を解決するための手段】
請求項１に記載の発明は、段差を分割するための段板と、前記段板の側方に立設され、前記段板を支持するための側板と、前記段板の高さ方向の位置を調節するための高さ調節機構とを備え、前記高さ調節機構は、前記側板に設けられた前記高さ方向に延びる係合溝に対して相対移動可能に係合するとともに、前記段板を略水平に支持する段板支持部材と、前記側板に固定された固定部材と、前記段板支持部材に締結されているとともに、前記固定部材に螺合構造を介して支持されており、前記螺合部位を変化させることにより前記固定部材に対して前記高さ方向に移動して、前記段板支持部材を前記係合溝に対して相対移動させる高さ調節部材とを備えることを特徴とする階段キットである。
【０００８】
この発明によれば、この階段キットを組み立てる場合、段板支持部材を側板の係合溝に係合させるとともに、側板における段板支持部材の下方位置に固定部材を固定させ、この固定部材に高さ調節部材を螺合させるだけでよく、簡単に組み立てることができる。
【０００９】
また、この階段キットにあっては、段板支持部材が、側板に設けられた高さ方向に延びる係合溝に対して相対移動可能に係合し、高さ調節部材における固定部材との螺合部位を変化させることにより、段板支持部材を側板の係合溝に対して相対移動させるように構成されているので、簡単に段板の高さを調節することができるとともに、種々の段差に対して均等な段差の階段を提供することができる。
【００１０】
その際、段板が複数ある場合には、前記側板に、各段板を前後にずらした状態で水平に支持させるように構成すればよい（請求項２）。
【００１１】
請求項３に記載の発明は、請求項１または２に記載の階段キットにおいて、前記係合溝に沿って目盛りが付されていることを特徴とするものである。この発明によれば、段板の高さを調節する場合に、段板間の間隔を均等にする等の作業を容易に行うことが可能となり、当該階段キットの組立作業性を向上することが可能となる。
【００１２】
請求項４に記載の発明は、請求項１ないし３のいずれかに記載の階段キットにおいて、前記側板に沿って手摺り部材が設けられていることを特徴とするものである。この発明によれば、段差をより楽に昇降することができるとともに、階段キットの安全性を向上することができる。
【００１３】
請求項５に記載の発明は、請求項４に記載の階段キットにおいて、前記手摺り部材は、前記側板に対し上方に突出して取り付けられた支持部材に支持されており、前記支持部材は、前記高さ方向に前記側板への取付位置が選択可能に複数設けられ、前記取付位置を変更することにより上方への突出量が変更可能に構成されていることを特徴とするものである。この発明によれば、支持部材には、高さ方向に側板への取付位置が選択可能に複数設けられ、その取付位置を変更することにより支持部材の上方への突出量を変更可能に構成したので、手摺り部材の高さを調節することが可能となる。また、一の側板に複数の支持部材が備えられる場合には、各支持部材の突出量を変えることで、手摺り部材の傾斜を変更することが可能となる。
【００１４】
請求項６に記載の発明は、請求項５に記載の階段キットにおいて、前記手摺り部材は、前記支持部材による支持位置を中心として揺動自在に前記支持部材に取り付けられているとともに、前記支持位置が手摺り部材の軸方向に変更可能に構成されていることを特徴とする。この発明によれば、手摺り部材を、支持部材による支持位置を中心として揺動自在に支持部材に取り付けるとともに、その支持位置を手摺り部材の軸方向に変更可能に構成したので、簡単に手摺り部材の傾斜を変更することができる。
【００１５】
【発明の実施の形態】
本発明に係る階段キットの実施形態について説明する。
【００１６】
図１は、本実施形態に係る階段キット１全体の概略斜視図である。
【００１７】
図１に示すように、階段キット１は、例えば和式玄関等のように比較的段差の大きい段部Ｓに設置されるもので、その段部Ｓの段差を所定数（本実施形態では３段）に分割する階段を付与して、特に老人や身体障害者等がこの段差Ｓを楽に昇降することができるようにするためのものである。
【００１８】
階段キット１は、大きく分けて、階段部２と、階段部２の両側方に取り付けられた手摺り部３とから構成されている。なお、図１において、矢印Ａ側を手前側、矢印Ｂ側を奥側、矢印Ｃ側を右側、矢印Ｄ側を左側というものとする。
【００１９】
以下、各部２，３の詳細な構造について説明する。
【００２０】
階段部２は、所定間隔を介して対向して垂設された支持板４と、段部Ｓを所定の段数の段差（本実施形態では３つの段差）に分割する段板５とを備えて構成されている。なお、階段部２の構造は、左右両側で略同様であるので、一側方について説明する。
【００２１】
図２は、支持板４の内面４ａの構造を示す図である。
【００２２】
図２に示すように、支持板４の内面４ａには、鉛直方向に延びる複数の係合溝４ｂ，４ｃが形成されている。この係合溝４ｂ，４ｃは、図３に示すように、上方からみて先細りの台形形状を有しており、段板５を所定の高さ位置で支持する支持部材６の一部の部位が嵌め込まれる溝である。
【００２３】
支持部材６は、図３，図４に示すように、一端部６ａが末広がりの台形形状に形成された直方板状の部材であり、その一端部６ａが支持板４に形成された係合溝４ｂ，４ｃに嵌め込まれている。支持部材６は、段板５の下面適所に形成された凹部５ａに嵌め込まれた状態で、ボルト７により段板５と締結されている。
【００２４】
また、支持部材６の下方において、断面Ｌ字型のブラケット８が、一方の板面部８ａ（以下、第１板面部８ａという）を支持板４に密着させた状態で支持板４の適所にボルト９により固定されている。ブラケット８の他方の板面部８ｂ（以下、第２板面部８ｂという）には、長尺状のボルト１０（以下、長尺ボルト１０という）が挿通されており、この長尺ボルト１０には、第２板面部８ｂの上下両側の位置に、それぞれナット１１，１２が第２板面部８ｂの各面に密着させた状態で螺合されている。これにより、長尺ボルト１０がブラケット８に固定されるとともに、ナット１１，１２を所定の方向に回転させることにより、第２板面部８ｂからの長尺ボルト１０の上方への突出量Ｌを変更することができる。すなわち、下側のナット１１を時計周りに回転させることにより長尺ボルト１０が下方に移動する一方、上側のナット１２を時計周りに回転させることにより長尺ボルト１０が上方に移動する。長尺ボルト１０の上端は、支持部材６に形成されたボルト穴６ｂに螺合されているので、長尺ボルト１０の移動に連動して支持部材６が上下方向に移動する。したがって、各ナット１１，１２を所定の方向に回転させることにより、支持部材６の高さ位置を変更することができる。
【００２５】
本実施形態では、各段板５ごとに、その側方の手前側及び奥側でそれぞれ上記のような構造を有している。奥側の係合溝４ｃは、段板５の高さ位置が手前側より高いので、手前側の係合溝４ｂより上方に長く形成されている。各係合溝４ｂ，４ｃの近傍には、目盛りＭが付されており、段板５を水平に保ったり、段板５の配設により生じる段差を均等にするのを容易に行うことができる。
【００２６】
左右両側の支持板４は、両支持板４の間隔を一定に保つため、手前側及び奥側の適所で底板１３，１４により、奥側の適所で背板１５により連結されている。また、図５に示すように、手前側の底板１３の上面適所と、手前側の段板５の上面及び下面適所と、奥側の段板５の下面適所には、それぞれスリット状の溝５ｂ，１２ａ（以下、スリット溝５ｂ，１２ａという）が左右方向に形成されており、各段差の隙間に足を踏み外さないように、カバー１６，１７がそのスリット溝５ｂ，１２ａに嵌め込んで取り付けられ、段板５間及び段板５と底板１３間との隙間Ｑを閉塞している。各段板５の上面手前側には、滑り止めのため、左右に延びる滑り防止溝５ｃがそれぞれ設けられている。
【００２７】
図６は、階段部３の全体構成を示す図である。
【００２８】
図６に示すように、階段キット１は、各支持板４に沿って手摺り部材１８が設けられている。手摺り部材１８は、支持板４の手前側適所に垂設された短支柱１９と奥側適所に垂設された長支柱２０の各先端に取り付けられている。手摺り部材１８は、略円柱形状のバー部材１８ａと一端側が湾曲した湾曲部材１８ｂとがジョイント部材１８ｃにより連結された構成を有する。
【００２９】
短支柱１９、長支柱２０の各下端側は、支持板４側の一部領域が平面状に切削されており、この切削された部位において、複数のボルト穴１９ａ，２０ａが長手方向に所定間隔ｒで穿設されている。また、支持板４には、このボルト穴１９ａ，２０ａに対応して支柱取付穴４ｄ（図２参照）が穿設されている。そして、短支柱１９及び長支柱２０の各平面部分と支持板４とを密着させて、短支柱１９及び長支柱２０に穿設された複数のボルト穴１９ａ，２０ａのうちそれぞれ２つのボルト穴と支持板４の支柱取付穴４ｄとに図略のボルトが螺合されることにより、短支柱１９及び長支柱２０が支持板４に取り付けられている。選択する短支柱１９及び長支柱２０のボルト穴１９ａ，２０ａに応じて、支持板４から上方に突出する短支柱１９及び長支柱２０の長さＲ１，Ｒ２が変化するので、短支柱１９及び長支柱２０のボルト穴１９ａ，２０ａを適宜選択することにより、手摺り部材１８の傾斜が変更可能となっている。
【００３０】
図７（ａ）は、手摺り部材１８と短支柱１９又は長支柱２０との接続部分の拡大図、（ｂ）は、（ａ）のＰ−Ｐ線からみた矢視図である。
【００３１】
図７（ａ），（ｂ）に示すように、手摺り部材１８と短支柱１９及び長支柱２０とは、断面Ｌ字型の回動部材２１を介して取り付けられている。手摺り部材１８のバー部材１８ａの両端の一部領域は、図７（ａ）の矢印Ｇに示すように、平面状に切削されている一方、図７（ｂ）の矢印Ｈに示すように、短支柱１９及び長支柱２０の先端の一部領域も平面状に切削されている。回動部材２１の各平面部２１ａ，２１ｂは、手摺り部材１８、短支柱１９及び長支柱２０の上記平面部１８ｄ，１８ｅ，１９ｂに密着した状態で、手摺り部材１８にはビス２２により固定され、短支柱１９及び長支柱２０には連結部材２３により回動自在に取り付けられている。
【００３２】
手摺り部材１８の傾斜を変更するには、短支柱１９及び長支柱２０の各先端位置（支持板４からの短支柱１９及び長支柱２０の突出量）を変更すればよいが、このとき、短支柱１９の先端と長支柱２０の先端との距離、すなわち、短支柱１９側の回動部材２１の取付位置と長支柱２０側の回動部材２１の取付位置との距離が変化するので、本実施形態では、手摺り部材１８における短支柱１９側の平面部１８ｄの長さＲ３を長支柱２０側の平面部１８ｅより軸方向に長く形成し、短支柱１９側の回動部材２１の取付位置を変更するだけで、手摺り部材１８をさまざまな傾斜に設定できるようにしている。なお、手摺り部材１８における長支柱２０側の平面部１８ｅを短支柱１９側の平面部１８ｄより軸方向に長く形成し、長支柱２０側の回動部材２１の取付位置を変更するようにしてもよい。
【００３３】
以上のような階段キット１を組み立てる場合、まず、支持板４と底板１３，１４及び背板１５とをボルト等により連結し、支持部材６を係合溝４ｂ，４ｃに下方から嵌め込んだ後、ブラケット８を支持板４に固着する。そして、長尺ボルト１０をブラケット８に挿通し、この長尺ボルト１０にブラケット８の第２板面部８ｂの上下両側からナット１０，１１を螺合させた後、長尺ボルト１０の先端を支持部材６に連結する。その後、底板１３及び段板５のスリット状溝１３ａ，５ｂにカバー１６，１７を嵌め込みながら、支持部材６上に段板５を載置し、ボルト７により支持部材６と段板５とを締結する。
【００３４】
一方、手摺り部３においては、短支柱１９及び長支柱２０を、取付位置を決めて支持板４に取り付けた後、回動部材２１を短支柱１９及び長支柱２０の先端に取り付ける。そして、バー部材１８ａと湾曲部材１８ｂとをジョイント部材１８ｃにより予め連結した手摺り部材１８と回動部材２１とを締結する。以上により、階段が完成する。
【００３５】
この階段において、図４に示すように、ボルト１１またはボルト１２を時計周りに回転させることにより、実線及び点線で示すように、長尺ボルト１０が矢印Ｖ方向に移動して突出量Ｌが変更し、その結果、支持部材６を矢印Ｗ方向に移動して段板５の高さ位置を変更することができる。その際、係合溝４ｂ，４ｃの近傍に目盛りＭが付されているので、この目盛りＭにしたがって段板５の高さ位置を設定する。
【００３６】
また、図６の実線及び点線で示すように、例えば、長支柱２０を下方に下げて支持板４に取り付ける等、短支柱１９または長支柱２０を矢印Ｘ方向に移動して支持板４に取り付けることにより、回動部材２１と短支柱１９及び長支柱２０との連結位置を中心として手摺り部材１８が矢印Ｙまたは矢印Ｚ方向に揺動して、手摺り部材１８の傾斜を変更することができる。
【００３７】
以上のように、本実施形態に係る階段キット１は、ボルト１１または１２を回転させるだけで、段板５を上下に移動させることができるようになっているので、段板５の高さの調節を簡単に行うことができるとともに、種々の段差に対応することができる。
【００３８】
また、係合溝４ｂ，４ｃの近傍に目盛りＭを設けたので、段板５の高さを調節する場合に、段板５間の間隔を均等にする等の作業を容易に行うことが可能となり、階段キット１の組立作業性を向上することができる。
【００３９】
また、短支柱１９及び長支柱２０に複数のボルト穴１９ａ，２０ａを長手方向に所定間隔ｒで穿設し、支持板４から上方に突出する短支柱１９及び長支柱２０の長さＲ１，Ｒ２が変更できるようにしたので、手摺り部材１８の傾斜を変更することができる。
【００４０】
また、手摺り部材１８における短支柱１９側の平面部１８ｄの長さＲ３を長支柱２０側の平面部１８ｅより軸方向に長く形成したので、短支柱１９側の回動部材２１の取付位置を変更するという簡単な作業で、手摺り部材１８をさまざまな傾斜に設定することができる。
【００４１】
なお、上記実施形態では、階段部２の両側方に手摺り部３が設けられているが、これに限られず、一側方が所定の壁等に接している場合には、その側方には手摺り部３を設けなくてもよい。
【００４２】
また、上記実施形態は、段部Ｓを３段に分割するものであるが、この分割数はいくつであってもよく、その分割数に応じて段板５、支持部材６や係合溝４ｂ，４ｃ等を増減すればよい。
【００４３】
【発明の効果】
本発明によれば、この階段キットを組み立てる場合、段板支持部材を側板の係合溝に係合させるとともに、側板における段板支持部材の下方位置に固定部材を固定させ、この固定部材に高さ調節部材を螺合させるだけでよく、簡単に組み立てることができる。
【００４４】
また、この階段キットにあっては、段板支持部材が、側板に設けられた高さ方向に延びる係合溝に対して相対移動可能に係合し、高さ調節部材における固定部材との螺合部位を変化させることにより、段板支持部材を側板の係合溝に対して相対移動させるように構成されているので、簡単に段板の高さを調節することができるとともに、種々の段差に対して均等な段差の階段を提供することができる。
【００４５】
本発明によれば、段板の高さを調節する場合に、段板間の間隔を均等にする等の作業を容易に行うことが可能となり、当該階段キットの組立作業性を向上することができる。
【００４６】
本発明によれば、段差をより楽に昇降させることができるとともに、階段キットの安全性を向上することができる。
【００４７】
本発明によれば、支持部材には、高さ方向に側板への取付位置が選択可能に複数設けられ、その取付位置を変更することにより支持部材の上方への突出量を変更可能に構成したので、手摺り部材の高さを調節することができる。また、一の側板に複数の支持部材が備えられる場合には、各支持部材の突出量を変えることで、手摺り部材の傾斜を変更することができる。
【００４８】
本発明によれば、手摺り部材を、支持部材による支持位置を中心として揺動自在に支持部材に取り付けるとともに、その支持位置を手摺り部材の軸方向に変更可能に構成したので、簡単に手摺り部材の傾斜を変更することができる。
【図面の簡単な説明】
【図１】本実施形態に係る階段キット全体の概略斜視図である。
【図２】支持板の内面の構造を示す図である。
【図３】支持部材近傍の構造を説明するための平面図である。
【図４】支持部材近傍の構造を説明するための一部破断側面図である。
【図５】カバーの取付構造等を示す側面図である。
【図６】階段部の全体構成を示す図である。
【図７】（ａ）は、手摺り部材と短支柱又は長支柱との接続部分の拡大図、（ｂ）は、（ａ）のＰ−Ｐ線からみた矢視図である。
【符号の説明】
１　　　階段キット
２　　　階段部
３　　　手摺り部
４　　　支持板
５　　　段板
４ｂ，４ｃ　係合溝
６　　　支持部材
８　　　ブラケット
１０　　長尺ボルト
１１，１２　ナット
１８　　手摺り部材
１８ｄ，１８ｅ　平面部
１９　　短支柱
１９ａ　ボルト穴
２０　　長支柱
２０ａ　ボルト穴
２１　　回動部材
２３　　連結部材
Ｓ　　　段部
【図１】
2004100245.tif 000003
【図２】
2004100245.tif 000004
【図３】
2004100245.tif 000005
【図４】
2004100245.tif 000006
【図５】
2004100245.tif 000007
【図６】
2004100245.tif 000008
【図７】
2004100245.tif 000009